(57)【要約】【課題】監視カメラの本体への電力供給のために太陽電池や二次電池を用いることなく、かつ、配線作業等を簡素化できる監視カメラ伝送装置を提供する。【解決手段】映像信号重畳・電源取り出し装置１００を構成するＲＦ変換回路１１が、アンテナ線からフィルタ回路（ＬＰＦ回路１２）を介して取り出される直流電圧を駆動電源とする監視カメラ本体１０によって撮影され生成される映像信号をＲＦ信号に変換し、アンテナ線６を介してテレビ受像機２に伝送する。テレビ受像機のチャンネルを映像信号のチャンネルに合わせるだけで、監視カメラ１で撮影した映像を家庭内のテレビ受像機２で見ることができる。【選択図】      図１
2004194276.tif 000002
【特許請求の範囲】
【請求項１】
監視カメラ本体によって撮影された映像をテレビ受像機に伝送する監視カメラ伝送装置であって、
アンテナ線から前記監視カメラ本体の駆動電源を取り出す電源取り出し回路と、
前記監視カメラ本体によって撮影され生成される映像信号をＲＦ信号に変換し、前記アンテナ線を介して前記テレビ受像機に伝送するＲＦ変換回路と、
を備えることを特徴とする監視カメラ伝送装置。
【請求項２】
前記ＲＦ変換回路と前記電源取り出し回路とを含む映像信号重畳・電源取り出し装置を、前記監視カメラ本体とは別体として設け、該映像信号重畳・電源取り出し装置を、前記監視カメラ本体及び前記アンテナ線にそれぞれ接続することを特徴とする請求項１に記載の監視カメラ伝送装置。
【請求項３】
前記ＲＦ変換回路と前記電源取り出し回路とを含む映像信号重畳・電源取り出し装置を、前記監視カメラ本体内に設けたことを特徴とする請求項１に記載の監視カメラ伝送装置。
【請求項４】
前記監視カメラ伝送装置は複数の監視カメラを有し、
各監視カメラに対応する各ＲＦ変換回路は、各映像信号を各ＲＦ信号に変換する際に、各ＲＦ信号がテレビ受像機の別チャンネルに設定されるように各映像信号を互いに異なるＲＦ信号に変換する機能を有し、
これらの互いに異なるＲＦ信号を、前記アンテナ線を介してテレビ受像機に伝送することを特徴とする請求項１〜３のいずれか１項に記載の監視カメラ伝送装置。
【請求項５】
人の接近等を検知する検知手段と、
前記検知手段で人の接近等を検知したときにテレビ視聴者に人の接近等の検知を知らせる手段と、異常を検知する検知手段と、
を備えることを特徴とする請求項１〜４のいずれか１項に記載の監視カメラ伝送装置。
【請求項６】
アンテナ線から監視カメラ本体の駆動電源を取り出す電源取り出し回路と、
前記監視カメラ本体によって撮影され生成される映像信号をＲＦ信号に変換し、前記アンテナ線を介して前記テレビ受像機に伝送するＲＦ変換回路と、
を備えることを特徴とする映像信号重畳・電源取り出し装置。
【請求項７】
監視カメラによって撮影された映像をテレビ受像機に伝送する監視カメラ伝送装置であって、
アンテナ線からフィルタ回路を介して取り出される直流電圧を駆動電源として用いる監視カメラ本体と、
前記監視カメラ本体によって撮影され生成される映像信号をＲＦ信号に変換し、前記アンテナ線を介して前記テレビ受像機に伝送するＲＦ変換回路と、
人の接近を検知したときに前記監視カメラ本体に前記駆動電源を供給し、前記ＲＦ信号のテレビ受像機への伝送を許可する電源供給制御回路と、
を備えたことを特徴とする監視カメラ伝送装置。
【請求項８】
前記電源供給制御回路は、
人の接近を検知するセンサ回路と、前記アンテナ線に重畳している前記直流電圧を取り出し前記センサ回路に供給するフィルタ回路と、前記センサによって人の接近が検知されたときに、前記監視カメラ本体への電源供給、および前記ＲＦ変換回路によるＲＦ信号のテレビ受像機への伝送を行うスイッチ回路とを備えることを特徴とする請求項７に記載の監視カメラ伝送装置。
【請求項９】
複数の監視カメラによって撮影された映像をテレビ受像機に伝送する監視カメラ伝送システムであって、
アンテナ線からフィルタ回路を介して取り出される直流電圧を駆動電源として用いる監視カメラ本体と、
前記各監視カメラ本体によって撮影され生成される映像信号をＲＦ信号に変換し、前記アンテナ線を介して前記テレビ受像機に伝送するＲＦ変換回路と、
人の接近を検知したときに前記各監視カメラ本体に前記駆動電源を供給し、前記ＲＦ信号のテレビ受像機への伝送を許可する電源供給制御回路と、
前記ＲＦ信号を、前記アンテナ線を介して受信し、前記各監視カメラ本体に設定されたチャンネル毎にそのＲＦ信号のレベルを判定して警告を発する警告発生装置と、
を備えたことを特徴とする監視カメラ伝送システム。
【請求項１０】
前記警告発生装置は、
前記チャンネル毎、それぞれのフィルタを介して入力されるＲＦ信号のレベルを判定するレベル判定回路と、当該レベル判定回路毎に設けられ、対応するＲＦ信号が入力された場合に警告を発する警告発生回路とを備えたことを特徴とする請求項９に記載の監視カメラ伝送システム。
【請求項１１】
前記警告発生装置は、
周波数可変フィルタを介して入力される前記ＲＦ信号のレベルを判定する唯一個の信号レベル判定回路と、当該信号レベル判定回路の出力、および前記チャンネル毎に設定される周波数を検知するチャンネルスキャン回路出力とを入力として得、前記信号レベル判定回路出力を、前記チャンネル毎に設けられる警告発生回路の対応する少なくとも一つに供給するセレクタと、を備えたことを特徴とする請求項９に記載の監視カメラ伝送システム。
【発明の詳細な説明】
【０００１】
【発明の属する技術分野】
本発明は、監視カメラ本体によって撮影された映像をテレビ受像機に伝送する監視カメラ伝送装置およびそのシステムに関する。
【０００２】
【従来の技術】
従来、監視カメラ本体によって撮影された映像をテレビ受像機に伝送する監視カメラ伝送装置として、ドアカメラ、インターホンが有名である。これらは、いずれも玄関先等に防犯用に監視カメラを用いるが、監視カメラで捉えた映像をモニタに伝送して再現するために有線を基本とするため、電源線や映像信号線の引き廻し等、その配線作業が面倒であり、また、そのための配線スペースの確保を必要とする。
一方、太陽電池と二次電池を組み合わせた電源を用い、カメラで捉えた映像をモニタに無線伝送する技術も公開されている。これは、太陽電池を利用した無線式であるため、上記した配線に起因する不都合は解消される（特許文献１参照）。
【０００３】
【特許文献１】
特開２００２−７７８９３号
【０００４】
【発明が解決しようとする課題】
しかしながら、上記した特許文献１に示されるように、監視カメラ伝送装置を、太陽電池を利用した無線式とした場合、コスト高が無視できない。また、太陽電池を利用するためには日当たりが良好であることが要求され、更に、二次電池にしても寿命に関する問題がある。
【０００５】
ところで、一般家庭においてテレビ放送を受信するために、放送電波をアンテナで受信し、屋外にあるブースタで増幅して家の中に引き込み、分配してテレビ受像機に接続している。ブースタとテレビ受像機の間にはブースタ用電源があり、通常アンテナ線として用いられる同軸ケーブルにブースタ用の直流電源を重畳している。
【０００６】
本発明は上記事情に着目してなされたものであり、一般家庭に既に配線済みのアンテナ線を利用することで、電力供給のために太陽電池や二次電池を用いることなく、かつ、配線を簡素化した監視カメラ伝送装置およびそのシステムを提供することを目的とする。
【０００７】
【課題を解決するための手段】
請求項１に記載の発明は、監視カメラ本体によって撮影された映像をテレビ受像機に伝送する監視カメラ伝送装置であって、アンテナ線から前記監視カメラ本体の駆動電源を取り出す電源取り出し回路と、前記監視カメラ本体によって撮影され生成される映像信号をＲＦ信号に変換し、前記アンテナ線を介して前記テレビ受像機に伝送するＲＦ変換回路と、を備えることを特徴とする。
【０００８】
請求項１に記載の発明によれば、第１に、アンテナ線から前記監視カメラ本体の駆動電源（直流電圧）を取り出す電源取り出し回路（例えばローパスフィルタ回路などのフィルタ回路）を有しているので、既設のアンテナ線を監視カメラ本体の電源配線として利用でき、ブースタ用電源を監視カメラ本体の電源として利用（兼用）できるため、監視カメラの外部からの電源配線が簡素化でき、また、監視カメラの駆動電力として太陽電池や二次電池を使用することなく、日陰でも使用可能で、電池交換不要、メンテナンスフリーの廉価構成の監視カメラ伝送装置を提供できる。
第２に、ＲＦ変換回路が、監視カメラ本体によって撮影され生成される映像信号をＲＦ信号に変換し、アンテナ線を介してテレビ受像機に伝送する構成を採用ことにより、既設のアンテナ線を監視カメラ本体からの映像信号配線として利用できるため、映像信号配線が簡素化でき、廉価構成の監視カメラ伝送装置を提供できる。
【０００９】
請求項１に記載の発明によれば、無線式と比較しても非常に廉価な監視カメラ伝送装置を提供することができる。
なお、ここで、「ＲＦ信号」とは、アンテナからテレビ受像機に伝播する、高周波信号のことをいう。
【００１０】
請求項２に記載の発明は、請求項１に記載の監視カメラ伝送装置において、前記ＲＦ変換回路と前記電源取り出し回路とを含む映像信号重畳・電源取り出し装置を、前記監視カメラ本体とは別体として設け、該映像信号重畳・電源取り出し装置を、前記監視カメラ本体及び前記アンテナ線にそれぞれ接続することを特徴とする。
【００１１】
請求項２に記載の発明によれば、ＲＦ変換回路と電源取り出し回路とを含む映像信号重畳・電源取り出し装置を、監視カメラ本体とは別体として設けているので、監視カメラ本体に新たなハードウェアを付加することなく監視カメラ本体として通常の監視カメラを利用して簡単な工事で監視カメラ伝送システムを構築できる。
なお、映像信号重畳・電源取り出し装置とアンテナ線との接続は、アンテナ線におけるブースタとブースタ用電源間に接続することが好ましい。
【００１２】
請求項３に記載の発明は、請求項１に記載の監視カメラ伝送装置において、ＲＦ変換回路と電源取り出し回路とを含む映像信号重畳・電源取り出し装置を、監視カメラ本体内に設けたことを特徴とする。
【００１３】
請求項３に記載の発明によれば、映像信号重畳・電源取り出し装置を、監視カメラ本体内に設けているので、アンテナ線と予め監視カメラ本体に設けられた映像信号重畳・電源取り出し装置とを単に接続すれば良く現場工事が極めて簡単で、映像信号重畳・電源取り出し装置を別途用意する必要がないと共に、映像信号重畳・電源取り出し装置を厳重な保護カバーで保護する必要性が薄いのでその分コスト低減を図ることができる。
なお、映像信号重畳・電源取り出し装置を監視カメラ本体内に設ける場合、監視カメラ本体内における監視カメラと映像信号重畳・電源取り出し装置との内部接続に加え、監視カメラ本体の外部カバーに相当する部分の適当な箇所にアンテナ線に接続するための端子又はコネクターを設け、この端子又はコネクターと映像信号重畳・電源取り出し装置とを内部で接続した構造とすることが好ましい。この端子又はコネクター部分は公知の防水設計を施すことが好ましい。端子又はコネクターは、同軸ケーブル用のものであることが好ましい。同軸ケーブル用の端子又はコネクターに、予め同軸ケーブルを接続しておけば、この同軸ケーブルをアンテナ線に接続するだけの工事で済む。
【００１４】
請求項４に記載の発明は、請求項１〜３のいずれかに記載の監視カメラ伝送装置において、監視カメラ伝送装置は複数の監視カメラを有し、各監視カメラに対応する各ＲＦ変換回路は、各映像信号を各ＲＦ信号に変換する際に、各ＲＦ信号がテレビ受像機の別チャンネルに設定されるように各映像信号を互いに異なるＲＦ信号に変換する機能を有しており、これらの互いに異なるＲＦ信号を、前記アンテナ線を介してテレビ受像機に伝送することを特徴とする。
【００１５】
請求項４に記載の発明によれば、複数の監視カメラによって撮影され生成される映像を、各監視カメラに対応する各ＲＦ変換回路によって、各ＲＦ信号がテレビ受像機の別チャンネルに設定されるように各映像信号を互いに異なるＲＦ信号に変換する構成を採用することによって、即ち、各ＲＦ信号に対応するテレビ受像機のチャンネルが重複しないように各映像信号を互いに異なるＲＦ信号に変換する構成を採用することによって、テレビ受像機のチャンネルの切り替えにより複数の監視カメラによって撮影され生成される各映像を見ることが可能となる。
【００１６】
請求項５に記載の発明は、請求項１〜４のいずれか１項に記載の監視カメラ伝送装置において、人の接近等を検知する検知手段と、前記検知手段で人の接近等を検知したときにテレビ視聴者に人の接近等の検知を知らせる手段と、異常を検知する検知手段と、を備えることを特徴とする。
【００１７】
請求項５に記載の発明によれば、検知手段で人の接近等を検知したときにテレビ視聴者に人の接近等の検知を知らせる手段を備えているので、通常のテレビ放送を視聴している際にも異常の検知により警報が発せられたときのみチャンネルを切替えれば監視が可能になる。
【００１８】
請求項６に記載の発明は、アンテナ線から監視カメラ本体の駆動電源を取り出す電源取り出し回路と、前記監視カメラ本体によって撮影され生成される映像信号をＲＦ信号に変換し、前記アンテナ線を介して前記テレビ受像機に伝送するＲＦ変換回路と、を備えることを特徴とする映像信号重畳・電源取り出し装置に関する発明である。
この映像信号重畳・電源取り出し装置を製造、使用することによって、上述したようにアンテナ線の利用か可能となり、配線工事等を簡素化できる。
【００１９】
なお、上記各本発明では、２台以上のテレビ受像機を接続することにより、必要に応じて家中のどのテレビ受像機でも見られるため防犯効果が増す。
【００２０】
請求項７に記載の発明は、監視カメラによって撮影された映像をテレビ受像機に伝送する監視カメラ伝送装置であって、アンテナ線からフィルタ回路を介して取り出される直流電圧を駆動電源として用いる前記監視カメラ本体と、前記監視カメラ本体によって撮影され生成される映像信号をＲＦ信号に変換し、前記アンテナ線を介して前記テレビ受像機に伝送するＲＦ変換回路と、人の接近を検知したときに前記監視カメラ本体に前記駆動電源を供給し、前記ＲＦ信号のテレビ受像機への伝送を許可する電源供給制御回路と、を備えたことを特徴とする。
【００２１】
請求項７に記載の発明によれば、電源供給制御回路が、人の接近を検知したときに監視カメラ本体に駆動電源を供給し、ＲＦ信号のテレビ受像機への伝送を許可する構成としたため、画像処理技術を用いることなく、廉価構成で監視カメラ伝送装置を提供することができる。また、ＲＦ変換回路が、アンテナ線からフィルタ回路を介して取り出される直流電圧を駆動電源とする監視カメラ本体によって撮影され生成される映像信号をＲＦ信号に変換し、アンテナ線を介してテレビ受像機に伝送することにより監視カメラとして動作させることができ、駆動電源としてブースタ電源を利用でき、かつ、既設の配線を利用するため、電池不要および無線式に比較して廉価な監視カメラ伝送装置を提供することができる。
【００２２】
請求項８に記載の発明は、請求項７に記載の監視カメラ伝送装置において、前記電源供給制御回路は、人の接近を検知するセンサと、前記アンテナ線に重畳している前記直流電圧を取り出し前記センサ回路に供給するフィルタ回路と、前記センサによって人の接近が検知されたときに、前記監視カメラ本体への電源供給、および前記ＲＦ変換回路によるＲＦ信号のテレビ受像機への伝送を行うスイッチ回路とを備えることを特徴とする。
【００２３】
請求項８に記載の発明によれば、侵入者や来訪者の検知に、例えば、赤外センサを用い、アンテナ線に重畳している直流電源を、ローパスフィルタ等のフィルタ回路を通して常に供給できるようにしてあり、侵入者や来訪者かあったときのみ監視カメラ本体への電源供給や監視カメラ本体からの映像信号を家庭用テレビ受像機へ供給することができるため、画像処理技術を用いることなく、廉価構成で監視カメラ伝送装置を提供することができる。
【００２４】
請求項９に記載の発明は、複数の監視カメラによって撮影された映像をテレビ受像機に伝送する監視カメラ伝送システムであって、アンテナ線からフィルタ回路を介して取り出される直流電圧を駆動電源として用いる前記監視カメラ本体と、前記各監視カメラ本体によって撮影され生成される映像信号をＲＦ信号に変換し、前記アンテナ線を介して前記テレビ受像機に伝送するＲＦ変換回路と、人の接近を検知したときに前記各監視カメラ本体に前記駆動電源を供給し、前記ＲＦ信号のテレビ受像機への伝送を許可する電源供給制御回路と、前記ＲＦ信号を、前記アンテナ線を介して受信し、前記各監視カメラ本体に設定されたチャンネル毎にそのＲＦ信号のレベルを判定して警告を発する警告発生装置と、を備えたことを特徴とする。
【００２５】
請求項９に記載の発明によれば、警告発生装置が、ＲＦ信号を、アンテナ線を介して受信し、各監視カメラ本体に設定されたチャンネル毎にそのＲＦ信号のレベルを判定し、例えば、映像をテレビ受像機に出力し、あるいはインジケータ表示、更にはアラーム音を発する構成としたため、画像処理技術を用いることなく、廉価構成で監視カメラ伝送システムを提供することができる。
【００２６】
請求項１０に記載の発明は、前記警告発生装置は、前記チャンネル毎、それぞれのフィルタを介して入力されるＲＦ信号のレベルを判定するレベル判定回路と、当該レベル判定回路毎に設けられ、対応するＲＦ信号が入力された場合に警告を発する警告発生回路とを備えた監視カメラ伝送システムに関する発明である。
【００２７】
請求項１０に記載の発明によれば、チャンネル別に映像信号をＲＦ信号に変換してアンテナ線に接続することで、２台以上の監視カメラを接続することができ、必要に応じて家中のどのテレビ受像機でも見られるため防犯効果が増す。また、侵入者や来訪者を検知したときにのみ映像信号を出力し、チャンネル別にレベル判定して警告を発することで、通常のテレビ放送を視聴している際にもそのときのみチャンネルを切替えれば監視を可能にした監視カメラ伝送システムを提供することができる。
【００２８】
請求項１１に記載の発明は、前記警告発生装置は、周波数可変フィルタを介して入力される前記ＲＦ信号のレベルを判定する唯一個の信号レベル判定回路と、当該信号レベル判定回路の出力、および前記チャンネル毎に設定される周波数を検知するチャンネルスキャン回路出力とを入力として得、前記信号レベル判定回路出力を、前記チャンネル毎に設けられる警告発生回路の対応する少なくとも一つに供給するセレクタと、を備えた監視カメラ伝送システムに関する発明である。
【００２９】
請求項１１に記載の発明によれば、請求項４が持つ作用効果の他に、信号レベル判定回路を１個で済ますことができ、また、チャンネル毎に設けられるフィルタ回路も１個で住むために部品点数の削減がはかれ、一層、廉価構成の監視カメラ伝送システムを提供できる。
【００３０】
【発明の実施の形態】
図１は、本発明における監視用カメラ伝送装置の一実施形態を示すブロック図である。
図１において、１は監視カメラ、２は一般家庭にあるテレビ（ＴＶ）受像機である。一般家庭では、テレビ放送を視聴するために、テレビ電波をアンテナ３で受信し、屋外にあるブースタ４で増幅して家の中に引き込み、分配してテレビ受像機２に接続している。また、ブースタ４とテレビ受像機２の間にはブースタ用電源５があり、通常、同軸ケーブル６にブースタ用の電源（直流）を重畳している。
【００３１】
監視カメラ１は、監視カメラ本体１０と、映像信号重畳・電源取り出し装置（回路）１００で構成される。
映像信号重畳・電源取り出し装置１００には、監視カメラ本体１０で撮影され、生成されるＮＴＳＣ映像信号を、アンテン３とテレビ受像機２間を伝搬する信号であるＲＦ信号に変換するＲＦ変換回路１１と、同軸ケーブル６に重畳された直流電圧を取り出し、その直流電圧を監視カメラ用電源として使用するＬＰＦ（ローパスフィルタ）回路１２が含まれる。
なお、ここでＲＦ信号とは、アンテナ３からテレビ受像機２に伝播する、高周波信号のことをいう。
【００３２】
上記構成とすることにより、カメラ電源として新たに太陽電池や二次電池等高価なバッテリを用いることなく、既設のブースタ用電源から映像信号重畳・電源取り出し装置１００のＬＰＦ回路１２を介して監視カメラ用電源取り出すことで、電池交換不要、メンテンナンスフリーの監視カメラ伝送装置を提供することができる。
また、監視カメラ１に接続されるケーブルはアンテナ線６を構成する同軸ケーブル１本で済み、監視カメラ１接続のために更に家の壁に穴を空ける等の作業が不要となり、テレビ受像機２のチャンネルを映像信号のチャンネルに合わせるだけで、監視カメラ１で撮影した映像を家庭内のテレビ受像機２で監視することができる。なお、アンテナ線６が接続されているどのテレビ受像機２でも複数の監視カメラ１により撮影される映像を見ることができる。
【００３３】
図２は、本発明の監視用カメラ伝送装置における他の実施形態を示すブロック図である。
図２において、図１に示すブロックと同一番号、あるいは同一記号が付されたブロックは、図１に示すそれと同じとする。
図１に示す実施形態との差異は、映像信号重畳・電源取り出し装置１００を、監視カメラ本体１０とは別体（別モジュール）のユニットとして構成したことにあり、本映像信号重畳・電源取り出し装置１００を、ブースタ４とブースタ用電源５の間のアンテナ線６（同軸ケーブル）に接続している。
【００３４】
監視カメラ本体１０は、ここでは通常のＣＣＤカメラを用いることとし、ここで生成されるＮＴＳＣ映像信号を映像信号重畳・電源取り出し装置１００に入力し、そのＮＴＳＣ映像信号を、映像信号重畳・電源取り出し装置１００を構成するＲＦ変換回路１１でＲＦ信号に変換し、アンテナ線６に重畳する。
また、映像信号重畳・電源取り出し装置１００を構成するＬＰＦ回路１２は、アンテナ線６に重畳される直流電圧を取り出し、カメラ用電源として監視カメラ本体１０に供給する。
【００３５】
上記構成により、テレビ受像機２テレビ受像機のチャンネルを映像信号のチャンネルに合わせるだけで、監視カメラ１で撮影した映像を家庭内のテレビ受像機２で見ることができる。また、監視カメラ１として市販の通常のカメラを使用できるという効果が得られる。なお、アンテナ線６が接続されているどのテレビ受像機２でも複数の監視カメラ１により撮影される映像を見ることができる。
【００３６】
図３は、本発明の監視用カメラ伝送装置における更に他の実施形態を示すブロック図である。
図３において、図１に示すブロックと同一番号、あるいは同一記号が付されたブロックは、図１に示すそれと同じとする。
ここに示す実施形態は、複数台の監視カメラ１（＃０〜＃２）を使用するケースが例示されている。複数台の監視カメラ１を接続するには、対応して設けられる各映像信号重畳・電源取り出し装置１００のＲＦ信号変換回路１１で各監視カメラ本体１０により生成される各映像信号を各ＲＦ信号に変換する際に、その各ＲＦ信号をテレビ受像機の別々のチャンネルで見ることができる（受像できる）ように設定することで実現される。ここでは、１３、１４、１５チャンネルを使用しているが、任意のチャンネルが設定可能である。このことにより、テレビ受像機のチャンネルの切り替えにより複数の監視カメラによって撮影され生成される各映像を見ることが可能となる。また、アンテナ線６が接続されているどのテレビ受像機２でも複数の監視カメラ１により撮影される映像を見ることができる。
なお、図中、■は分配器とする。また、ここでは、映像信号重畳・電源取り出し装置１００が監視カメラ１に包含されるケースを示したが、映像信号重畳・電源取り出し装置１００をユニットとして別体に独立して設置した図２に示す実施形態に適用しても同様である。
【００３７】
図４は、本発明の監視用カメラ伝送装置における更に他の実施形態を示すブロック図である。
図４において、図１に示すブロックと同一番号、あるいは同一記号が付されたブロックは、図１に示すそれと同じとする。
図１に示す実施形態との差異は、監視カメラ本体１０内に、侵入者、来訪者等の接近を検知する検知回路２０が付加されたことにある。検知回路２０では、画像処理回路２２によって、以前に撮影された映像と違う映像が入力された場合、具体的には、侵入者や来訪者等が接近した場合を検知し、この検知信号をＳＷ回路２１に送出してＳＷを切り換える（ＳＷをＯＮにする）ことによって、侵入者や来訪者等が接近した場合のみ映像信号が出力されるようにしている。
上記した監視カメラ１において、ＳＷ回路２１を介して出力された映像信号は、上記したように、像信号重畳・電源取り出し装置１００を介してアンテナ線６に重畳される。
【００３８】
一方、ブースタ用電源５内にも、ブースタ電源５０の他に、使用チャンネル毎に信号レベル判定回路５１が付加され、チャンネル別にＢＰＦ（バンドパスフィルタ）回路５２を介して映像信号が入力された場合にのみ、対応して設けられる警告発生回路としてのインジケータ５３が点灯するように構成される。警告発生回路として、インジケータ５３の代わりにアラーム音等の警告を発生する手段で対応しても良い。
上記構成により、通常のテレビ放送を視聴している最中であってもインジケータ５３等による警告が発せられた後、必要に応じてチャンネルを切替えることにより監視カメラ１によって撮影される画像を見ることができる。
なお、上記構成において、画像処理回路２２の代わりに、赤外線センサや焦電センサを用いて侵入者や来訪者等が接近した場合を検知し、この検知信号によってＳＷを切替える構成を採用することもできる。
【００３９】
図５は、本発明の監視用カメラ伝送装置における更に他の実施形態を示すブロック図である。
図５において、図４に示すブロックと同一番号、あるいは同一記号が付されたブロックは、図１に示すそれと同じとする。
図４に示す実施形態との差異は、ブースタ用電源５内において、チャンネル毎に設けていた信号レベル判定回路５１を、チャンネル（ＣＨ）スキャン回路５４と、セレクタ５５で代替することにより、信号レベル判定回路５１を１個で済ましたことにある。また、使用チャンネル毎に設けていたＢＰＦ回路５３も、１個の周波数可変ＢＰＦ回路５６とセレクタ５７で代替している。
【００４０】
上記構成により、侵入者や来訪者が接近したときにのみＳＷ回路２１を介して出力される各監視カメラ１（＃０〜＃２）からのＮＴＳＣ映像信号は、像信号重畳・電源取り出し装置１００を介してＲＦ信号に変換されアンテナ線６に重畳される。そして、そのＲＦ信号は、ＣＨスキャン回路５４によってスキャンされ、セレクタ５７によって選択されたチャンネルに相当するＲＦ信号が周波数可変ＢＰＦ回路５６を介して信号レベル判定回路５１に供給され、ここで、所定のレベルが検知されたときにセレタク５５経由で該当チャンネルのインジケータ５２を点灯させ警告を発することになる。
このことにより、図４に示す実施形態同様、通常のテレビ放送を視聴している最中であっても警告に従い映像を切替えることで、複数の監視カメラ１によって撮影された画像を監視することができる。
なお、図示省略するが、図２の実施形態に示される映像信号重畳・電源取り出し装置１００に上記した検知回路２０を付加し、監視カメラ本体−アンテナ線間あるいはブースタ用電源５内等に設ければ、監視カメラ１（＃０〜＃２）として通常の市販カメラを用いることが可能になる。
【００４１】
以上説明のように本発明は、一般家庭に既に配線済みのアンテナ線を利用することで、太陽電池や二次電池を用いることなく既存の設備から取り出し、かつ、配線を簡素化したものであり、このことにより、廉価でメンテナンスフリーの監視用カメラ伝送装置を提供するものである。
【００４２】
ところで、図４、図５に示す実施形態は、画像処理技術を利用して侵入者や来訪者があった場合にのみその映像を映し出すものであり、画像処理技術は複雑で高価であるためその適用は困難である。そこで、画像処理技術を用いることなく、侵入者や来訪者があった場合にその様子を家庭用テレビ受像機に映し出すことができ、また、廉価構成で実現することのできる、監視カメラ伝送装置およびそのシステムの構成を図６以降に示す。
【００４３】
図６において、１は監視カメラ、２は一般家庭にあるテレビ受像機である。一般家庭では、テレビ放送を視聴するために、テレビ電波をアンテナ３で受信し、屋外にあるブースタ４で増幅して家の中に引き込み、分配してテレビ受像機２に接続している。ブースタ４とテレビ受像機の間にはブースタ用電源５があり、通常、同軸ケーブル（以下、特に断りがない場合、アンテナ線という）６にブースタ用の電源（直流）を重畳している。
【００４４】
監視カメラ１は、監視カメラ本体１０と、電源供給制御回路１３で構成される。
監視カメラ本体１０は、ＣＣＤ（Ｃｈａｒｇｅ  Ｃｏｕｐｌｅｄ  Ｄｅｖｉｃｅ）素子から成る監視カメラ１０で撮影され、生成されるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ  Ｓｔａｎｄａｒｄ）映像信号を、アンテン３とテレビ受像機２間を伝搬する信号であるＲＦ信号に変換するＲＦ変換回路１１と、アンテナ線６に重畳された直流電圧を取り出し、その直流電圧を監視カメラ用電源として使用するＬＰＦ（ローパスフィルタ）回路１２で構成される。
なお、ここでＲＦ（Ｒａｄｉｏ  Ｆｒｅｑｕｅｎｃｙ）信号とは、アンテナ３とテレビ受像機２間を伝播する、ＮＴＳＣ映像信号と同期信号が合成されたコンポジットビデオ信号のことをいう。
【００４５】
電源供給制御回路１３は、センサ回路１３１と、ＬＰＦ回路１３２と、スイッチ回路（ＳＷ）１３３で構成される。
センサ回路１３１は、侵入者や来訪者等、人の接近を検知するセンサであり、赤外センサや焦電センサで構成される。ＬＰＦ回路１２は、アンテナ線６に重畳している直流電圧を取り出しセンサ回路１３１に供給するローパスフィルタである。またもスイッチ回路１３３は、センサ回路１３１によって人の接近が検知されたときに、監視カメラ本体１０への電源供給、およびＲＦ変換回路１１によるＲＦ信号のテレビ受像機への伝送を許可する。
【００４６】
電源供給制御回路１３には、アンテナ線６に重畳している直流電源を、ＬＰＦ回路１３２を通して常に供給できるようにしてあり、侵入者や来訪者があった場合、センサ回路１３１によりスイッチ回路１３３を制御して監視カメラ本体１０への電源供給や、監視カメラ本体１０からテレビ受像機２に向けたＲＦ信号が出力される。
テレビ受像機２には、ブースタ用電源５とＴＶモニタ７の他に、後述する受信チャンネル分相当のＢＰＦ（バンドパスフィルタ）回路５６、信号レベル判定回路５１、そして、インジケータ５２が内蔵されており、侵入者や来訪者があった場合にのみ、その信号を検知してインジケータ５２による警告が発せられる仕組みとなっている。また、その侵入者や訪問者を単にＴＶモニタ７へ映し出すことも考えられる。詳細は後述する。
【００４７】
上記構成とすることにより、画像処理技術を用いることなく、侵入者や来訪者があった場合にその様子を家庭用テレビ受像機に映し出すことができ、また、廉価構成で実現することができる。また、監視カメラ１に接続されるケーブルは同軸ケーブル１本で済み、家の壁に更に穴を空ける等の必要がなくなり、テレビ受像機のチャンネルを映像信号のチャンネルに合わせるだけで、監視カメラ１で撮影した映像を家庭内のテレビ受像機２で監視することができる。
【００４８】
図７は、本発明の監視用カメラ伝送システムの一実施形態を示すブロック図である。
図７において、図６に示すブロックと同一番号、あるいは同一記号が付されたブロックは、図６に示すそれと同じとする。ここでは、３台の監視カメラ（監視カメラ１〜監視カメラ３）を使用して１個のＴＶ受像機２でモニタするケースが例示されている。
本発明の監視カメラ伝送システムは、図６に示す監視カメラ伝送装置を用い、テレビ受像機２内に設けられる警告発生装置３０が監視カメラ１〜３からの信号の有無を検知し、その信号をテレビモニタ７へ出力、あるいは、監視カメラ１〜３毎に設定されるチャンネルに対応して設けられるインジケータ５２を介して警告を発生する構成としている。警告は、表示の他にアラーム音の発生が考えられる。
【００４９】
具体的には、各監視カメラ１〜３で生成される映像信号を各ＲＦ変換回路１１に入力して映像信号をＲＦ信号に変換し、電源供給制御回路１３のセンサ回路１３１によって人の接近が検知された場合にのみ、その変換されたＲＦ信号を、スイッチ回路１３３を介してアンテナ線６に重畳してＴＶ受像機２へ伝送する。
テレビ受像機２側では、ブースタ用電源５の他に、設定されたチャンネル別に、信号レベル判定回路５１が付加されており、チャンネル毎にＢＰＦ５２を介して映像信号が入力された場合にのみ、対応して設けられるインジケータ５３が点灯するように構成される。ここでは、インジケータ５３の代わりにアラーム音等の警告を発生する手段で対応しても良い。
上記構成により、通常のテレビ放送を視聴している最中であっても必要に応じて映像を切替え、監視カメラ１〜３によって撮影される画像を見ることができる。
【００５０】
図８は、本発明の監視用カメラ伝送システムにおける他の実施形態を示すブロック図である。図８において、図７に示すブロックと同一番号、あるいは同一記号が付されたブロックは、図１に示すそれと同じとする。
図７に示す実施形態との差異は、テレビ受像機２に設けられる警告発生装置３０のうち、チャンネル別に設けていた信号レベル判定回路５１を、チャンネルスキャン回路５４と、セレクタ５５で代替することにより、信号レベル判定回路５１を信号レベル判定回路５０の１個で済ましたことにある。また、チャンネル別に設けていたＢＰＦ回路５２も、１個の周波数可変ＢＰＦ回路５６と、セレクタ５５で代替している。
【００５１】
すなわち、周波数可変ＢＰＦ回路５６を介して入力されるＲＦ信号のレベルを唯一個設けられる信号レベル判定回路５０で判定する。そして、その出力をセレクタ５７へ供給し、一方で、チャンネルスキャン回路５４によってチャンネル毎に設定された周波数を検知することによって対応するチャンネル毎設けられるインジケータ９１〜９３を駆動し、警告を発するように構成したものである。
このように構成することで、図２に示す実施形態同様、通常のテレビ放送を視聴している最中であっても必要に応じて映像を切替え、監視カメラ１〜３によって撮影される画像を見ることができる。
なお、図示省略するが、図２の実施形態に示されるＲＦ信号変換回路１１に上記した警告発生装置３０を付加し、ブースタ用電源５内に設ければ、監視カメラ１として通常の市販カメラを用いることが可能になる。
【００５２】
【発明の効果】
以上説明のように本発明によれば、電源および映像信号を伝播させる信号線の配線は、一般家庭に既設のアンテナ線を利用するため、配線が簡素化され、また、監視カメラの駆動電力として太陽電池や二次電池を使用することなく、ブースタ用電源で兼用するため、日陰での使用も可、交換不要、メンテナンスフリーの廉価構成の監視カメラ伝送装置を提供できる。更に、無線式に比較して一層廉価な監視カメラ伝送装置を提供できる。
また、本発明によれば、複数台の監視カメラを接続することができ、テレビ受像機のチャンネルの切替えにより複数の監視カメラによって撮影され生成される各映像を見ることが可能となる。更に、通常のテレビ放送を視聴している最中であっても侵入者、来訪者の到来が通知されるため、必要に応じてチャンネルを切替えることにより容易に監視が可能になる。
【００５３】
また、人の接近を検知したときに監視カメラ本体に駆動電源を供給し、ＲＦ信号のテレビ受像機への伝送を許可する構成としたため、画像処理技術を用いることなく、廉価構成で監視カメラ伝送装置を提供することができる。更に、ＲＦ信号を、アンテナ線を介して受信し、各監視カメラ本体に設定されたチャンネル毎にそのＲＦ信号のレベルを判定して警告を発することで、画像処理技術を用いることなく、廉価構成で監視カメラ伝送システムを提供することができる。
なお、本発明の監視カメラ伝送装置は、屋外に出ているアンテナ線に接続すれば済むため、家の壁に余計な穴をあける必要がない等の効果も得られる。
【図面の簡単な説明】
【図１】本発明の監視用カメラ伝送装置における一実施形態を示すブロック図である。
【図２】本発明の監視用カメラ伝送装置における他の実施形態を示すブロック図である。
【図３】本発明の監視用カメラ伝送装置における更に他の実施形態を示すブロック図である。
【図４】本発明の監視用カメラ伝送装置における更に他の実施形態を示すブロック図である。
【図５】本発明の監視用カメラ伝送装置における更に他の実施形態を示すブロック図である。
【図６】本発明の監視用カメラ伝送装置における更に他の実施形態を示すブロック図である。
【図７】本発明の監視用カメラ伝送システムにおける一実施形態を示すブロック図である。
【図８】本発明の監視用カメラ伝送システムにおける他の実施形態を示すブロック図である。
【符号の説明】
１…監視カメラ、２…テレビ受像機、３…アンテナ、４…ブースタ、５…ブースタ用電源、６…アンテナ線、７…ＴＶモニタ、１０…監視カメラ本体、１１…ＲＦ信号変換回路、１２…ＬＰＦ回路、１３…電源供給制御回路、２０…検知回路、２１…スイッチ回路、２２…画像処理回路、３０…警告発生装置、５０、５１…信号レベル判定回路、５２…インジケータ、５３…ＢＰＦ（バンドパスフィルタ）回路、５４…チャンネルスキャン回路、５５（５７）…セレクタ、５６…周波数可変ＢＰＦ回路、１００…映像信号重畳・電源取り出し装置、１３１…センサ回路、１３２…ＬＰＦ回路、１３３…スイッチ回路
【図１】
2004194276.tif 000003
【図２】
2004194276.tif 000004
【図３】
2004194276.tif 000005
【図４】
2004194276.tif 000006
【図５】
2004194276.tif 000007
【図６】
2004194276.tif 000008
【図７】
2004194276.tif 000009
【図８】
2004194276.tif 000010